(57)【要約】【課題】種々の納まりに部材を兼用化してコストダウンすること。【解決手段】アングル材６１は、建物の開口部に設けられた枠体２１に固定される。このアングル材６１は、見込み方向に沿って延在する基部６１１と、基部６１１における室内側の端部から屈曲して延在し、枠体２１に対して室内側に並設される並設部材５１における室外側の端部に対向する対向部６１３と、対向部６１３の先端から室内側に向けて屈曲して延在するアングル部６１４とを備える。アングル材６１には、対向部６１３とアングル部６１４との境界位置に分割溝６１８が形成されている。【選択図】図４
2018025049.tif 000002
【特許請求の範囲】
【請求項１】
建物の開口部に設けられた枠体に固定されるアングル材であって、
見込み方向に沿って延在する基部と、
前記基部における室内側の端部から屈曲して延在し、前記枠体に対して室内側に並設される並設部材における室外側の端部に対向する対向部と、
前記対向部の先端から室内側に向けて屈曲して延在するアングル部とを備え、
当該アングル材には、
前記対向部と前記アングル部との境界位置に分割溝が形成されている
ことを特徴とするアングル材。
【請求項２】
前記分割溝は、
前記対向部における室内側の見付け面を延長した平面上に位置する
ことを特徴とする請求項１に記載のアングル材。
【請求項３】
前記対向部における室内側の見付け面には、
前記並設部材における室外側の端部に当接する当接部が設けられている
ことを特徴とする請求項１または２に記載のアングル材。
【請求項４】
前記当接部は、
前記見付け面から室内側に向けてヒレ状に突出し、弾性変形した状態で前記並設部材における室外側の端部に当接する
ことを特徴とする請求項３に記載のアングル材。
【請求項５】
前記当接部は、
前記見付け面から室内側に向かうにしたがって前記枠体の外周側に傾斜している
ことを特徴とする請求項４に記載のアングル材。
【請求項６】
建物の開口部に設けられた枠体と、
前記枠体に固定される請求項１〜５のいずれか一つに記載のアングル材とを備える
ことを特徴とする建具。
【発明の詳細な説明】
【技術分野】
【０００１】
本発明は、建物の開口部に設けられた枠体に固定されるアングル材、及び当該アングル材を備えた建具に関する。
【背景技術】
【０００２】
従来、防露性を向上させるために、樹脂材料から構成されたアングル材を建物の開口部に設けられた枠体に固定した建具が知られている（例えば、特許文献１参照）。
特許文献１に記載のアングル材（合成樹脂製押出形材）は、基部と、対向部と、アングル部とを備える。基部は、見込み方向に沿って延在する。対向部は、基部における室内側の端部から枠体の内周側に屈曲して延在する。そして、対向部は、枠体に対して室内側に並設される額縁部材における室外側の端部に対向する。アングル部は、対向部の先端から室内側に向けて屈曲して延在する。そして、アングル部は、額縁部材の表面に対向する。
【先行技術文献】
【特許文献】
【０００３】
【特許文献１】特許第４５５４７１７号公報
【発明の概要】
【発明が解決しようとする課題】
【０００４】
ところで、アングル材では、特許文献１に記載のように額縁部材を用いた納まりに使用する場合には、仕上げを簡単に行うために、アングル部が必要となる。一方、クロス巻き込み納まり等に使用する場合には、アングル部は不要となる。したがって、納まりの違いに対応させて、アングル部を有するアングル材と、アングル部のないアングル材とをそれぞれ製作しておく必要があり、コストアップに繋がる、という問題がある。
【０００５】
本発明は、上記実情に鑑みて、種々の納まりに部材を兼用化することでコストダウンすることができるアングル材及び建具を提供することを目的とする。
【課題を解決するための手段】
【０００６】
上記目的を達成するため、本発明に係るアングル材は、建物の開口部に設けられた枠体に固定されるアングル材であって、見込み方向に沿って延在する基部と、前記基部における室内側の端部から屈曲して延在し、前記枠体に対して室内側に並設される並設部材における室外側の端部に対向する対向部と、前記対向部の先端から室内側に向けて屈曲して延在するアングル部とを備え、当該アングル材には、前記対向部と前記アングル部との境界位置に分割溝が形成されている。
【０００７】
本発明では、アングル材には、上述した分割溝が形成されている。このため、アングル部を必要とする納まり（例えば、額縁部材を用いた納まり）では、当該アングル部を残したままにする。一方、アングル部を不要とする納まり（例えば、クロス巻き込み納まり）では、例えば、分割溝に沿ってカッター等により対向部からアングル部を分割する。
したがって、本発明に係るアングル材によれば、種々の納まりに部材を兼用化することでコストダウンすることができる、という効果を奏する。
特に、カッター等によりアングル部を簡単に分割することができるため、現場で納まりが変更になった場合でも、その場で当該納まりに合わせることができ、利便性の向上を図ることができる。
【０００８】
また、本発明は、上述したアングル材において、前記分割溝は、前記対向部における室内側の見付け面を延長した平面上に位置することを特徴とする。
本発明では、分割溝が上述した位置に形成されているので、当該分割溝で分割した場合に、対向部の一部が切除されてしまったり、アングル部の一部が残ってしまったりすることがなく、適切にアングル部を分割することができる。
【０００９】
また、本発明は、上述したアングル材において、前記対向部における室内側の見付け面には、前記並設部材における室外側の端部に当接する当接部が設けられていることを特徴とする。
ところで、アングル材と並設部材との間には隙間が存在する。このため、当該隙間を介して、外気が流入し易い構造である。そして、枠体をアルミニウム等の金属材料で構成すると、上記のように流入した外気により、当該枠体が結露してしまう場合がある。また、枠体が結露すると、当該結露により発生した水が、枠体と並設部材との隙間、及びアングル材と並設部材との隙間を介して、毛細管現象等により、並設部材の表面に漏れ出てしまう場合がある。そして、当該場合には、額縁部材（並設部材）の表面の腐食や、壁材（並設部材）の表面を覆う壁紙の剥がれ等が発生してしまう虞がある。
本発明では、対向部における室内側の見付け面には、上述した当接部が設けられている。このため、対向部と並設部材との隙間が当接部にて水密及び気密に塞がれ、当該隙間を介して外気が流入することを抑制することができる。また、仮に枠体が結露した場合であっても、当該結露により発生した水が対向部と並設部材との隙間から並設部材の表面に漏れ出てくることを抑制することができる。したがって、額縁部材（並設部材）の表面の腐食や、壁材（並設部材）の表面を覆う壁紙の剥がれ等の発生を抑制することができる。
【００１０】
また、本発明は、上述したアングル材において、前記当接部は、前記見付け面から室内側に向けてヒレ状に突出し、弾性変形した状態で前記並設部材における室外側の端部に当接することを特徴とする。
本発明では、当接部は、上述したようにアングル材（対向部）に一体形成されている。このため、アングル材とは別体で当接部を設けた場合と比較して、別途、当該当接部を設置する作業を不要とし、施工性を向上することができる。また、弾性変形を利用して当接部を並設部材における室外側の端部に当接させているので、簡素な構造としつつ水密性及び気密性を十分に確保することができる。
【００１１】
また、本発明は、上述したアングル材において、前記当接部は、前記見付け面から室内側に向かうにしたがって前記枠体の外周側に傾斜していることを特徴とする。
本発明では、当接部は、上述したように傾斜した形状を有する。すなわち、当接部は、並設部材における室外側の端部に押圧されると、当接部の先端側が枠体の外周側に向いた状態で押し潰される（弾性変形する）。このため、枠体が結露した場合であっても、当該結露により発生した水を当接部にて効果的に堰き止めることができる。したがって、上述した「額縁部材（並設部材）の表面の腐食や、壁材（並設部材）の表面を覆う壁紙の剥がれ等の発生を抑制することができる」という効果を好適に実現することができる。
【００１２】
本発明に係る建具は、建物の開口部に設けられた枠体と、前記枠体に固定される上述したアングル材とを備えることを特徴とする。
本発明に係る建具は、上述したアングル材を備えるため、上述したアングル材と同様の作用及び効果を奏する。
【発明の効果】
【００１３】
本発明に係るアングル材及び建具によれば、種々の納まりに部材を兼用化することでコストダウンすることができる、という効果を奏する。
【図面の簡単な説明】
【００１４】
【図１】図１は、本発明の実施の形態に係る建具を室内側から見た図である。
【図２】図２は、図１に示した建具の縦断面図である。
【図３】図３は、図１に示した建具の横断面図である。
【図４】図４は、図２に示した建具の一部を拡大した図であって、上枠及び上アングル材の構成を示す図である。
【図５】図５は、図２に示した建具の一部を拡大した図であって、下枠及び下アングル材の構成を示す図である。
【図６】図６は、図３に示した建具の一部を拡大した図であって、左縦枠及び左アングル材の構成を示す図である。
【図７】図７は、図３に示した建具の一部を拡大した図であって、右縦枠及び右アングル材の構成を示す図である。
【図８】図８は、本発明の実施の形態の効果を説明する図であって、図１ないし図３に示した建具をクロス巻き込み納まりで使用した場合を示す縦断面図である。
【図９】図９は、本発明の実施の形態の効果を説明する図であって、図１ないし図３に示した建具をクロス巻き込み納まりで使用した場合を示す横断面図である。
【図１０】図１０は、図８に示した建具の一部を拡大した図であって、上枠、上アングル材、及び上壁材の位置関係を示す図である。
【図１１】図１１は、図８に示した建具の一部を拡大した図であって、下枠、下アングル材、及び下額縁部材の位置関係を示す図である。
【図１２】図１２は、図９に示した建具の一部を拡大した図であって、左縦枠、左アングル材、及び左壁材の位置関係を示す図である。
【図１３】図１３は、図９に示した建具の一部を拡大した図であって、右縦枠、右アングル材、及び右壁材の位置関係を示す図である。
【発明を実施するための形態】
【００１５】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１６】
〔建具の概略構成〕
図１は、本発明の実施の形態に係る建具１を室内側から見た図である。図２は、建具１の縦断面図である。図３は、建具１の横断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、枠体２と、外障子３と、内障子４とを備える。
枠体２は、上枠２１、下枠２２、図１中、左側に位置する左縦枠２３、及び図１中、右側に位置する右縦枠２４を四周枠組みすることによって構成され、建物の開口部Ｏｐの縁部に沿うように取り付けられる。
本実施の形態では、これら各枠部材２１〜２４は、アルミニウム等の金属の押し出し形材であり、全長に亘って略一様な断面形状を有する。
なお、これら各枠部材２１〜２４の詳細な構成については後述する。
【００１７】
外障子３は、内障子４に対して室外側に位置し、枠体２に対して、上枠２１に設けられた外障子用レール２１２、及び下枠２２に設けられた外障子用レール２２３に沿って図１中、左右方向に開閉移動可能に取り付けられている。そして、外障子３は、面材３１と、框体３２とを備える。
面材３１は、スペーサ３１１を介して一対のガラス板３１２，３１３を互いに間隔を隔てて対面配置した２層の複層ガラスで構成されている。
框体３２は、上框３２１、下框３２２、戸先框３２３、及び召合せ框３２４を框組みすることにより構成され、内部で面材３１を保持する。
これら上框３２１、下框３２２、戸先框３２３、及び召合せ框３２４は、金属製や樹脂製の押し出し形材であり、全長に亘って略一様な断面形状を有する。
【００１８】
内障子４は、枠体２に対して、上枠２１に設けられた内障子用レール２１３、及び下枠２２に設けられた内障子用レール２２４に沿って図１中、左右方向に開閉移動可能に取り付けられている。そして、内障子４は、外障子３における面材３１（スペーサ３１１及び一対のガラス板３１２，３１３を含む）及び框体３２（上框３２１、下框３２２、戸先框３２３、及び召合せ框３２４を含む）とそれぞれ同様の面材４１（スペーサ４１１及び一対のガラス板４１２，４１３を含む）及び框体４２（上框４２１、下框４２２、戸先框４２３、及び召合せ框４２４を含む）を備える。
【００１９】
上述した外障子３及び内障子４において、戸先框３２３が左縦枠２３に当接し、戸先框４２３が右縦枠２４に当接した場合には、召合せ框３２４，４２４とが互いに係合する。そして、開口部Ｏｐは、外障子３及び内障子４にて閉塞される。この状態では、召合せ框３２４，４２４間は、クレセントＣＲ（図１）によってロック可能である。当該クレセントＣＲによりロックすることにより、外障子３及び内障子４は、開口部Ｏｐを閉塞した閉状態に保持される。
【００２０】
本実施の形態では、枠体２に対して室内側には、額縁部材５（図２，図３）が並設されている。なお、当該額縁部材５は、本発明に係る並設部材に相当する。具体的に、額縁部材５は、開口部Ｏｐの縁部に沿うように取り付けられている。この額縁部材５は、上枠２１に並設される上額縁部材５１と、下枠２２に並設される下額縁部材５２と、左縦枠２３に並設される左額縁部材５３と、右縦枠２４に並設される右額縁部材５４とを備える。
【００２１】
以上説明した枠体２には、アングル材６（図２，図３）が固定されている。
このアングル材６は、上枠２１に固定される上アングル材６１と、下枠２２に固定される下アングル材６２と、左縦枠２３に固定される左アングル材６３と、右縦枠２４に固定される右アングル材６４とを備える。
本実施の形態では、これらアングル材６１〜６４は、各枠部材２１〜２４の長手方向に沿って延在する塩化ビニル樹脂（ＰＶＣ）等の樹脂の押し出し形材であり、全長に亘って略一様な断面形状を有する。
以下、上枠２１及び上アングル材６１の構成、下枠２２及び下アングル材６２の構成、左縦枠２３及び左アングル材６３の構成、並びに、右縦枠２４及び右アングル材６４の構成について、順に説明する。
【００２２】
〔上枠及び上アングル材の構成〕
図４は、図２に示した建具１の一部を拡大した図であって、上枠２１及び上アングル材６１の構成を示す図である。
なお、以下に記載する「内周側」は、枠体２の内周側であって、上枠２１、上アングル材６１、及び上額縁部材５１では「下方側」を意味する。また、以下に記載する「外周側」は、枠体２の外周側であって、上枠２１、上アングル材６１、及び上額縁部材５１では「上方側」を意味する。
上枠２１は、上枠基部２１１と、外障子用レール２１２と、内障子用レール２１３と、第１，第２ヒレ部２１４，２１５とを備える。
上枠基部２１１は、見込み方向に沿って略水平に延在した部分である。
外障子用レール２１２は、上枠基部２１１における内周側の見込み面から内周側に向けて延在し、外障子３の開閉移動を案内する部分である。
【００２３】
内障子用レール２１３は、上枠基部２１１における内周側の見込み面において、外障子用レール２１２に対して室内側の位置から内周側に向けて延在し、内障子４の開閉移動を案内する部分である。
この内障子用レール２１３において、室内側の見付け面の外周側には、室内側に突出する第１突出部２１６が形成されている。
第１ヒレ部２１４は、上枠基部２１１における外周側の見込み面から外周側に向けて延在し、ネジＳｃ１（図２）により建物の躯体Ｂに固定される部分である。
第２ヒレ部２１５は、上枠基部２１１における室内側の端部から内周側及び外周側にそれぞれ屈曲して延在した部分である。
この第２ヒレ部２１５において、内周側の端部には、室外側に突出する第２突出部２１７が形成されている。
【００２４】
上アングル材６１は、第２ヒレ部２１５における内周側に延在した部分、上枠基部２１１、及び内障子用レール２１３で構成される略Ｕ字部分の内側に固定される。この上アングル材６１は、基部６１１と、レール部６１２と、対向部６１３と、アングル部６１４とを備える。
基部６１１は、見込み方向に沿って略水平に延在し、上枠基部２１１における内周側の見込み面に当接する。
レール部６１２は、基部６１１における室外側の端部から内周側に屈曲して延在し、内障子用レール２１３における室内側の見付け面に対向する。そして、レール部６１２は、内障子用レール２１３とともに内障子４の開閉移動を案内する。
このレール部６１２において、室外側の見付け面の外周側には、第１突出部２１６が挿入される第１挿入溝６１５が形成されている。
【００２５】
対向部６１３は、基部６１１における室内側の端部から枠体２の内周側に屈曲して延在し、上枠２１に対して室内側に並設される上額縁部材５１における室外側の端部に対向する。
この対向部６１３において、室内側の見付け面には、上額縁部材５１における室外側の端部に当接する複数（本実施の形態では、２つ）の当接部６１６が形成されている。
複数の当接部６１６は、同一の形状を有し、当該見付け面において、内周側から外周側にかけて並設されている。具体的に、当接部６１６は、当該見付け面から室内側に向けてヒレ状に突出し、その材料及び寸法により弾性変形可能に構成されている。また、当接部６１６は、対向部６１３における室内側の見付け面から室内側に向かうにしたがって外周側に傾斜した形状を有する。このため、当接部６１６は、上額縁部材５１における室外側の端部により、先端側が外周側に向いた状態で押し潰される（弾性変形する）。
【００２６】
また、対向部６１３において、室内側の見付け面の外周側には、第２突出部２１７が挿入される第２挿入溝６１７が形成されている。
すなわち、上アングル材６１は、第１，第２突出部２１６，２１７が第１，第２挿入溝６１５，６１７にそれぞれ挿入されることで、上枠２１に係止された状態となる。そして、上アングル材６１は、当該係止された状態において、ネジＳｃ２（図２）により、上枠２１とともに建物の躯体Ｂに固定される。
【００２７】
アングル部６１４は、対向部６１３の先端（内周側の端部）から室内側に屈曲して延在する部分である。ここで、上額縁部材５１において、内周側の見込み面の室外側には、外周側に向けて窪む段部５１１が形成されている。そして、アングル部６１４は、当該段部５１１に位置付けられる。この状態では、アングル部６１４における内周側の見込み面と、上額縁部材５１における内周側の見込み面とは、略面一となる。
【００２８】
また、対向部６１３とアングル部６１４との境界位置には、対向部６１３からアングル部６１４を分割するための分割溝６１８が形成されている。より具体的に、分割溝６１８は、対向部６１３の先端とアングル部６１４における内周側の見込み面との間に形成された段差で構成され、対向部６１３における室内側の見付け面を延長した平面ＶＳ１上に位置する。
【００２９】
〔下枠及び下アングル材の構成〕
図５は、図２に示した建具１の一部を拡大した図であって、下枠２２及び下アングル材６２の構成を示す図である。
なお、以下に記載する「内周側」は、枠体２の内周側であって、下枠２２、下アングル材６２、及び下額縁部材５２では「上方側」を意味する。また、以下に記載する「外周側」は、枠体２の外周側であって、下枠２２、下アングル材６２、及び下額縁部材５２では「下方側」を意味する。
下枠２２は、下枠第１基部２２１と、下枠第２基部２２２と、外障子用レール２２３と、内障子用レール２２４と、第１〜第３ヒレ部２２５〜２２７とを備える。
下枠第１基部２２１は、下枠２２の長手方向に沿って延在する略角筒形状を有する。
下枠第２基部２２２は、下枠第１基部２２１における内周側の見込み面を構成する壁部を室内側に延長した部分である。
この下枠第２基部２２２において、内周側の見込み面には、内周側に向けて突出するとともに先端部分が室内側に屈曲して延在する第１突出部２２８が形成されている。
【００３０】
外障子用レール２２３は、下枠第１基部２２１における内周側の見込み面から内周側に向けて延在し、上枠２１の外障子用レール２１２とともに外障子３の開閉移動を案内する部分である。
内障子用レール２２４は、下枠第１基部２２１における内周側の見込み面において、外障子用レール２２３に対して室内側の位置から内周側に向けて延在し、上枠２１の内障子用レール２１３とともに内障子４の開閉移動を案内する部分である。
【００３１】
第１ヒレ部２２５は、下枠第１基部２２１から外周側に向けて延在し、ネジＳｃ３（図２）により建物の躯体Ｂに固定される部分である。
第２ヒレ部２２６は、下枠第２基部２２２における室内側の端部から内周側に屈曲して延在し、下枠２２に対して室内側に並設される下額縁部材５２における室外側の端部に対向する。
この第２ヒレ部２２６において、室外側の見付け面の外周側には、室外側に突出する第２突出部２２９が形成されている。
第３ヒレ部２２７は、下枠第２基部２２２における外周側の見込み面から外周側に延在する部分である。
【００３２】
下アングル材６２は、第２ヒレ部２２６、下枠第２基部２２２、及び内障子用レール２２４で構成される略Ｕ字部分の内側に固定される。この下アングル材６２は、基部６２１と、第１，第２係止片６２２，６２３と、対向部６２４と、アングル部６２５とを備える。
基部６２１は、見込み方向に沿って略水平に延在し、下枠第２基部２２２に対向する。
第１，第２係止片６２２，６２３は、下枠２２における下枠第１，第２突出部２２８，２２９に係止される部分である。より具体的に、第１係止片６２２は、第１突出部２２８に係止される部分であり、基部６２１における外周側の見込み面から外周側に延在し、先端部分が室外側に屈曲した形状を有する。また、第２係止片６２３は、第２突出部２２９に係止される部分であり、基部６２１における外周側の見込み面において、第１係止片６２２に対して室内側の位置から外周側に延在し、先端部分が室内側に屈曲した形状を有する。
【００３３】
対向部６２４は、基部６２１における室内側の端部から内周側に屈曲して延在する。
この対向部６２４において、室内側の見付け面は、内周側が室内側にオフセットした段付き状に形成され、当該見付け面の外周側に第２ヒレ部２２６が当接する。また、当該見付け面の内周側には、下額縁部材５２における室外側の端部に当接する当接部６２６が形成されている。
この当接部６２６は、上アングル材６１の当接部６１６と同様の形状を有する。このため、当接部６２６は、下額縁部材５２における室外側の端部により、先端側が外周側に向いた状態で押し潰される（弾性変形する）。
【００３４】
アングル部６２５は、対向部６２４の先端（内周側の端部）から室内側に屈曲して延在する部分である。ここで、下額縁部材５２において、内周側の見込み面の室外側には、外周側に向けて窪む段部５２１が形成されている。そして、アングル部６２５は、当該段部５２１に位置付けられる。この状態では、アングル部６２５における内周側の見込み面と、下額縁部材５２における内周側の見込み面とは、略面一となる。
【００３５】
また、対向部６２４とアングル部６２５との境界位置には、上アングル材６１の分割溝６１８と同様の分割溝６２７が形成されている。すなわち、分割溝６２７は、対向部６２４の先端とアングル部６２５における内周側の見込み面との間に形成された段差で構成され、対向部６２４における室内側の見付け面の内周側を延長した平面ＶＳ２上に位置する。
【００３６】
〔左縦枠及び左アングル材の構成〕
図６は、図３に示した建具１の一部を拡大した図であって、左縦枠２３及び左アングル材６３の構成を示す図である。
なお、以下に記載する「内周側」は、枠体２の内周側であって、左縦枠２３、左アングル材６３、及び左額縁部材５３では「室内側から見て右側」を意味する。また、以下に記載する「外周側」は、枠体２の外周側であって、左縦枠２３、左アングル材６３、及び左額縁部材５３では「室内側から見て左側」を意味する。
左縦枠２３は、左縦枠基部２３１と、第１，第２ヒレ部２３２，２３３とを備える。
左縦枠基部２３１は、見込み方向に沿って延在した部分である。
この左縦枠基部２３１において、内周側の見込み面には、第１〜第３突出部２３４〜２３６が形成されている。
第１突出部２３４は、左縦枠基部２３１における内周側の見込み面から内周側に突出し、先端部分が室内側に屈曲した形状を有する。
第２突出部２３５は、左縦枠基部２３１における内周側の見込み面において、第１突出部２３４に対して室内側の位置から内周側に突出する。
第３突出部２３６は、左縦枠基部２３１における内周側の見込み面において、第２突出部２３５に対して室内側に位置し、第１突出部２３４と同様の形状を有する。
【００３７】
第１ヒレ部２３２は、左縦枠基部２３１における外周側の見込み面から外周側に延在し、ネジＳｃ４（図３）により建物の躯体Ｂに固定される部分である。
第２ヒレ部２３３は、左縦枠基部２３１における室内側の端部から内周側及び外周側にそれぞれ屈曲して延在し、左縦枠２３に対して室内側に並設される左額縁部材５３における室外側の端部に対向する。
この第２ヒレ部２３３において、内周側の端部には、室外側に突出する第４突出部２３７が形成されている。
【００３８】
左アングル材６３は、第２ヒレ部２３３における内周側に延在した部分、及び左縦枠基部２３１で構成される略Ｌ字部分の内側に固定される。この左アングル材６３は、基部６３１と、ヒレ部６３２と、対向部６３３と、アングル部６３４とを備える。
基部６３１は、見込み方向に沿って延在し、第３突出部２３６と第２ヒレ部２３３との間に位置し、左縦枠基部２３１における内周側の見込み面に当接する。
ヒレ部６３２は、基部６３１における室外側の端部から内周側に屈曲して延在するとともに、室外側に屈曲して延在し、さらに、外周側に屈曲して延在する。
このヒレ部６３２の基端部分には、第３突出部２３６の先端部分が挿入される第１挿入溝６３５が形成されている。
また、ヒレ部６３２の先端部分には、第１，第２突出部２３４，２３５間に挿入され、当該第１，第２突出部２３４，２３５に係止される係止片６３６が形成されている。
【００３９】
対向部６３３は、基部６３１における室内側の端部から内周側に屈曲して延在する。
この対向部６３３において、室内側の見付け面は、内周側が室内側にオフセットした段付き状に形成され、当該見付け面の外周側に第２ヒレ部２３３における内周側に延在した部分が当接する。また、当該見付け面の外周側には、第４突出部２３７が挿入される第２挿入溝６３７が形成されている。
すなわち、左アングル材６３は、係止片６３６が第１，第２突出部２３４，２３５に挿入され、第３，第４突出部２３６，２３７が第１，第２挿入溝６３５，６３７にそれぞれ挿入されることで、左縦枠２３に係止された状態となる。そして、左アングル材６３は、当該係止された状態において、ネジＳｃ５（図３）により、左縦枠２３とともに建物の躯体Ｂに固定される。
また、当該見付け面の内周側には、左額縁部材５３における室外側の端部に当接する複数（本実施の形態では２つ）の当接部６３８が形成されている。
複数の当接部６３８は、当該見付け面において、内周側から外周側にかけて並設され、上，下アングル材６１，６２の各当接部６１６，６２６と同様の形状を有する。このため、当接部６３８は、左額縁部材５３における室外側の端部により、先端側が外周側に向いた状態で押し潰される（弾性変形する）。
【００４０】
アングル部６３４は、対向部６３３の先端（内周側の端部）から室内側に屈曲して延在する部分である。ここで、左額縁部材５３において、内周側の見込み面の室外側には、外周側に向けて窪む段部５３１が形成されている。そして、アングル部６３４は、当該段部５３１に位置付けられる。この状態では、アングル部６３４における内周側の見込み面と、左額縁部材５３における内周側の見込み面とは、略面一となる。
【００４１】
また、対向部６３３とアングル部６３４との境界位置には、各アングル材６１，６２の分割溝６１８，６２７と同様の分割溝６３９が形成されている。すなわち、分割溝６３９は、対向部６３３の先端とアングル部６３４における内周側の見込み面との間に形成された段差で構成され、対向部６３３における室内側の見付け面の内周側を延長した平面ＶＳ３上に位置する。
【００４２】
〔右縦枠及び右アングル材の構成〕
図７は、図３に示した建具１の一部を拡大した図であって、右縦枠２４及び右アングル材６４の構成を示す図である。
なお、以下に記載する「内周側」は、枠体２の内周側であって、右縦枠２４、右アングル材６４、及び右額縁部材５４では「室内側から見て左側」を意味する。また、以下に記載する「外周側」は、枠体２の外周側であって、右縦枠２４、右アングル材６４、及び右額縁部材５４では「室内側から見て右側」を意味する。
右縦枠２４は、左縦枠２３に対して略左右対称となる形状を有し、左縦枠２３における左縦枠基部２３１（第３突出部２３６を含む）及び第１，第２ヒレ部２３２，２３３（第４突出部２３７を含む）にそれぞれ対応した右縦枠基部２４１（第３突出部２４６を含む）及び第１，第２ヒレ部２４２，２４３（第４突出部２４７を含む）を備える。
【００４３】
右アングル材６４は、左アングル材６３からヒレ部６３２を省略した部分に対して略左右対称となる形状を有し、左アングル材６３における基部６３１、対向部６３３（第２挿入溝６３７及び複数の当接部６３８を含む）、及びアングル部６３４にそれぞれ対応した基部６４１、対向部６４３（第２挿入溝６４７及び複数の当接部６４８を含む）、及びアングル部６４４を備える。
また、右アングル材６４には、左アングル材６３の分割溝６３９と同様の分割溝６４９が形成されている。すなわち、分割溝６４９は、対向部６４３の先端とアングル部６４４における内周側の見込み面との間に形成された段差で構成され、対向部６４３における室内側の見付け面の内周側を延長した平面ＶＳ４上に位置する。
【００４４】
そして、右縦枠２４は、第１ヒレ部２３２がネジＳｃ６（図３）により建物の躯体Ｂに固定される。また、右アングル材６４は、基部６４１における室外側の端部が第３突出部２４６に係止され、第２挿入溝６４７に第４突出部２４７が挿入された状態で、ネジＳｃ７（図３）により右縦枠２４とともに建物の躯体Ｂに固定される。
ここで、右額縁部材５４において、内周側の見込み面の室外側には、外周側に向けて窪む段部５４１が形成されている。そして、アングル部６４４は、当該段部５４１に位置付けられる。また、アングル部６４４における内周側の見込み面と、右額縁部材５４における内周側の見込み面とは、略面一となる。さらに、複数の当接部６４８は、右額縁部材５４における室外側の端部により、先端側が外周側に向いた状態で押し潰される（弾性変形する）。
【００４５】
以上説明した本実施の形態に係るアングル材６によれば、以下の効果を奏する。
図８ないし図１３は、本発明の実施の形態の効果を説明する図である。具体的に、図８は、図１ないし図３に示した建具１をクロス巻き込み納まりで使用した場合を示す縦断面図である。図９は、図１ないし図３に示した建具１をクロス巻き込み納まりで使用した場合を示す横断面図である。図１０は、図８に示した建具１の一部を拡大した図であって、上枠２１、上アングル材６１、及び上壁材７１の位置関係を示す図である。図１１は、図８に示した建具１の一部を拡大した図であって、下枠２２、下アングル材６２、及び下額縁部材７２の位置関係を示す図である。図１２は、図９に示した建具１の一部を拡大した図であって、左縦枠２３、左アングル材６３、及び左壁材７３の位置関係を示す図である。図１３は、図９に示した建具１の一部を拡大した図であって、右縦枠２４、右アングル材６４、及び右壁材７４の位置関係を示す図である。
【００４６】
本実施の形態に係る各アングル材６１〜６４には、分割溝６１８，６２７，６３９，６４９がそれぞれ形成されている。このため、アングル部６１４，６２５，６３４，６４４を必要とする納まり（図１〜図７に示した額縁部材５を用いた納まり）では、当該アングル部６１４，６２５，６３４，６４４をそれぞれ残したままにする。一方、図８ないし図１３に示したクロス巻き込み納まり等、アングル部６１４，６２５，６３４，６４４を不要とする納まりでは、例えば、分割溝６１８，６２７，６３９，６４９に沿ってカッター等により対向部６１３，６２４，６３３，６４３からアングル部６１４，６２５，６３４，６４４をそれぞれ分割する。
したがって、本実施の形態に係る各アングル材６１〜６４によれば、種々の納まりに部材を兼用化することでコストダウンすることができる、という効果を奏する。
特に、カッター等によりアングル部６１４，６２５，６３４，６４４をそれぞれ簡単に分割することができるため、現場で納まりが変更になった場合でも、その場で当該納まりに合わせることができ、利便性の向上を図ることができる。
【００４７】
また、本実施の形態に係る各アングル材６１〜６４では、分割溝６１８，６２７，６３９，６４９は、対向部６１３，６２４，６３３，６４３における室内側の見付け面を延長した平面ＶＳ１〜ＶＳ４上にそれぞれ位置する。このため、各分割溝６１８，６２７，６３９，６４９で分割した場合に、各対向部６１３，６２４，６３３，６４３の一部がそれぞれ切除されてしまったり、各アングル部６１４，６２５，６３４，６４４の一部がそれぞれ残ってしまったりすることがなく、適切にアングル部６１４，６２５，６３４，６４４をそれぞれ分割することができる。
【００４８】
ところで、図１ないし図７に示した額縁部材５を用いた納まりでは、各アングル材６１〜６４と各額縁部材５１〜５４との間に隙間がそれぞれ存在する。図８ないし図１３に示したクロス巻き込み納まりでも同様に、各アングル材６１〜６４と、各枠部材２１〜２４にそれぞれ並設される上壁材７１、下額縁部材７２、左壁材７３、及び右壁材７４との間に隙間がそれぞれ存在する。このため、当該隙間を介して、外気が流入する虞がある。そして、枠体２をアルミニウム等の金属材料で構成すると、上記のように流入した外気により、当該枠体２が結露してしまう場合がある。図１ないし図７に示した額縁部材５を用いた納まりでは、当該結露により発生した水は、各第２ヒレ部２１５，２２６，２３３，２４３と各額縁部材５１〜５４との隙間、及び各アングル材６１〜６４と各額縁部材５１〜５４との隙間を介して、毛細管現象等により、各額縁部材５１〜５４の表面にそれぞれ漏れ出てしまう虞がある。すなわち、各額縁部材５１〜５４の表面が腐食してしまう虞がある。一方、図８ないし図１３に示したクロス巻き込み納まりでは、当該結露により発生した水は、各第２ヒレ部２１５，２２６，２３３，２４３と上壁材７１、下額縁部材７２、左壁材７３、及び右壁材７４との隙間、及び各対向部６１３，６２４，６３３，６４３と上壁材７１、下額縁部材７２、左壁材７３、及び右壁材７４との隙間を介して、毛細管現象等により、上壁材７１、下額縁部材７２、左壁材７３、及び右壁材７４の表面にそれぞれ漏れ出てしまう虞がある。すなわち、下額縁部材７２の表面の腐食や、各壁材７１，７３，７４の表面を覆う壁紙ＣＬの剥がれ等が発生してしまう虞がある。
なお、上壁材７１、下額縁部材７２、左壁材７３、及び右壁材７４は、本発明に係る並設部材に相当する。
【００４９】
本実施の形態に係る各アングル材６１〜６４では、各対向部６１３，６２４，６３３，６４３における室内側の見付け面には、当接部６１６，６２６，６３８，６４８がそれぞれ設けられている。そして、各当接部６１６，６２６，６３８，６４８は、図１ないし図７に示した額縁部材５を用いた納まりでは、各額縁部材５１〜５４における室外側の端部にそれぞれ当接する（図４〜図７）。また、各当接部６１６，６２６，６３８，６４８は、図８ないし図１３に示したクロス巻き込み納まりでは、上壁材７１、下額縁部材７２、左壁材７３、及び右壁材７４における室外側の端部にそれぞれ当接する。このため、各対向部６１３，６２４，６３３，６４３と各並設部材５１〜５４，７１〜７４との隙間が各当接部６１６，６２６，６３８，６４８にて水密及び気密にそれぞれ塞がれ、当該隙間を介して外気が流入することを抑制することができる。また、仮に枠体２が結露した場合であっても、当該結露により発生した水が各対向部６１３，６２４，６３３，６４３と各並設部材５１〜５４，７１〜７４との隙間から各並設部材５１〜５４，７１〜７４の表面にそれぞれ漏れ出てくることを抑制することができる。したがって、各額縁部材５１〜５４，７２の表面の腐食や、各壁材７１，７３，７４の表面を覆う壁紙ＣＬの剥がれ等の発生を抑制することができる。
【００５０】
特に、各当接部６１６，６２６，６３８，６４８は、各アングル材６１〜６４（各対向部６１３，６２４，６３３，６４３）にそれぞれ一体形成されている。このため、各アングル材６１〜６４とは別体で当接部を設けた場合と比較して、別途、当該当接部を設置する作業を不要とし、施工性を向上することができる。また、弾性変形を利用して各当接部６１６，６２６，６３８，６４８を各並設部材５１〜５４，７１〜７４における室外側の端部にそれぞれ当接させているので、簡素な構造としつつ水密性及び気密性を十分に確保することができる。
また、各当接部６１６，６２６，６３８，６４８は、室内側に向かうにしたがって外周側に傾斜した形状をそれぞれ有する。すなわち、各当接部６１６，６２６，６３８，６４８は、各並設部材５１〜５４，７１〜７４における室外側の端部にそれぞれ押圧されると、当該各当接部６１６，６２６，６３８，６４８の先端側が外周側に向いた状態でそれぞれ押し潰される（弾性変形する）。このため、枠体２が結露した場合であっても、当該結露により発生した水を当接部６１６，６２６，６３８，６４８にて効果的に堰き止めることができる。したがって、上述した「各額縁部材５１〜５４，７２の表面の腐食や、各壁材７１，７３，７４の表面を覆う壁紙ＣＬの剥がれ等の発生を抑制することができる」という効果を好適に実現することができる。
【００５１】
（その他の実施の形態）
ここまで、本発明を実施するための形態を説明してきたが、本発明は上述した実施の形態によってのみ限定されるべきものではない。
上述した実施の形態では、本発明に係るアングル材を引違い窓に採用していたが、これに限らない。例えば２枚の障子のうち一方の障子のみがスライドする片引き窓や１枚の障子をはめ殺したはめ殺し窓、さらには障子を上下方向にスライドさせる上げ下げ窓や障子を見込み方向に開閉するすべり出し窓等、各種の建具に本発明に係るアングル材を採用しても構わない。
上述した実施の形態では、各当接部６１６，６２６，６３８，６４８を各アングル材６１〜６４にそれぞれ一体形成していたが、これに限らず、各アングル材とは別体でそれぞれ当接部を設けても構わない。
上述した実施の形態では、本発明に係る並設部材として、各額縁部材５１〜５４，７２や各壁材７１，７３，７４の内装部材を例示したが、これに限らず、コンクリート納まりに使用する場合での当該コンクリートも本発明に係る並設部材に含むものである。
【符号の説明】
【００５２】
１  建具、２  枠体、５  額縁部材（並設部材）、６  アングル材、５１  上額縁部材（並設部材）、５２，７２  下額縁部材（並設部材）、５３  左額縁部材（並設部材）、５４  右額縁部材（並設部材）、６１  上アングル材（アングル材）、６２  下アングル材（アングル材）、６３  左アングル材（アングル材）、６４  右アングル材（アングル材）、７１  上壁材（並設部材）、７３  左壁材（並設部材）、７４  右壁材（並設部材）、６１１，６２１，６３１，６４１  基部、６１３，６２４，６３３，６４３  対向部、６１４，６２５，６３４，６４４  アングル部、６１６，６２６，６３８，６４８  当接部、６１８，６２７，６３９，６４９  分割溝、Ｏｐ  開口部、ＶＳ１〜ＶＳ４  平面
【図１】
2018025049.tif 000003
【図２】
2018025049.tif 000004
【図３】
2018025049.tif 000005
【図４】
2018025049.tif 000006
【図５】
2018025049.tif 000007
【図６】
2018025049.tif 000008
【図７】
2018025049.tif 000009
【図８】
2018025049.tif 000010
【図９】
2018025049.tif 000011
【図１０】
2018025049.tif 000012
【図１１】
2018025049.tif 000013
【図１２】
2018025049.tif 000014
【図１３】
2018025049.tif 000015